(57)【要約】【目的】  狭小スペースにおける設置作業性を向上させ、また据付基礎との固定強度も向上させて安定して支持固定することができる、新しい貯湯タンク支持構造を提供する。【構成】  貯湯タンク(1)に具備されている支持脚(2)と据付基礎(3)に配設されているアンカーボルト(4)を介して固定することによって貯湯タンク(1)を支持する構造であって、貯湯タンク(1)の奥側に具備されている奥支持脚(21)の基板部(211)に形成されている鍵溝形孔(212)および貯湯タンク(1)の手前側に具備されている前支持脚(22)の基板部(221)に形成されている挿通孔(222)に、奥支持脚(21)は据付基礎(3)の奥側のアンカーボルト(41)を、また前支持脚(22)は据付基礎(3)の手前側のアンカーボルト(42)をそれぞれ挿通させてボルト固定することにより、貯湯タンク(1)を支持固定してなる構造とする。【選択図】図１
2005127670.tif 000002
【特許請求の範囲】
【請求項１】
貯湯タンクに具備されている支持脚を据付基礎に配設されているアンカーボルトを介して固定することによって貯湯タンクを支持する構造であって、貯湯タンクの奥側に具備されている奥支持脚の基板部に形成されている鍵溝形孔および貯湯タンクの手前側に具備されている前支持脚の基板部に形成されている挿通孔に、奥支持脚は据付基礎の奥側のアンカーボルトを、また前支持脚は据付基礎の手前側のアンカーボルトをそれぞれ挿通させてボルト固定することにより、貯湯タンクを支持固定してなることを特徴とする貯湯タンク支持構造。
【請求項２】
奥支持脚が少なくとも２つ以上具備され、いずれの奥支持脚においてもその鍵溝形孔の方向が同方向に形成されている請求項１記載の貯湯タンク支持構造。
【請求項３】
貯湯タンクに具備されている支持脚を据付基礎に配設されているアンカーボルトを介して固定することによって貯湯タンクを支持する構造であって、貯湯タンクの奥側に具備されている奥支持脚の基板部の先端に立上り片とともに形成されている切欠溝形孔および貯湯タンクの手前側に具備されている前支持脚の基板部に形成されている挿通孔に、奥支持脚は据付基礎の奥側のアンカーボルトを、また前支持脚は据付基礎の手前側のアンカーボルトをそれぞれ挿通させてボルト固定することにより、貯湯タンクを支持固定してなることを特徴とする貯湯タンク支持構造。
【請求項４】
貯湯タンクに具備されている支持脚を据付基礎に配設されているアンカーボルトを介して固定することによって貯湯タンクを支持する構造であって、貯湯タンクの奥側に具備されている奥支持脚の基板部の先端に先端近傍の突起とともに形成されている切欠溝形孔および貯湯タンクの手前側に具備されている前支持脚の基板部に形成されている挿通孔に、奥支持脚は据付基礎の奥側のアンカーボルトを、また前支持脚は据付基礎の手前側のアンカーボルトをそれぞれ挿通させてボルト固定することにより、貯湯タンクを支持固定してなることを特徴とする貯湯タンク支持構造。
【請求項５】
貯湯タンクに具備されている支持脚を据付基礎に配設されているスライド基板に固定することによって貯湯タンクを支持する構造であって、支持脚をスライド係止板体にて形成するとともに、スライド基板をスライド係止受板体にて形成し、スライド基板をアンカーボルトを介して据付基礎上に固定するとともに、支持脚を構成するスライド係止板体をスライド基板を構成するスライド係止受板体に係止固定することにより、貯湯タンクを支持固定してなることを特徴とする貯湯タンク支持構造。
【発明の詳細な説明】
【技術分野】
【０００１】
この出願の発明は、貯湯タンク支持構造に関するものである。さらに詳しくは、この出願の発明は、狭小スペースにおける設置作業性を向上させ、また据付基礎との固定強度も向上させて安定して支持固定することができる新しい貯湯タンク支持構造に関するものである。
【背景技術】
【０００２】
従来より、地震等の揺れに対する耐性（耐震性）を向上させた貯湯タンク支持構造が提案されている（特許文献１参照）。この貯湯タンク支持構造の場合には、貯湯タンクに具備されている支持脚を据付基礎に配設されているアンカーボルトを介して固定することによって、貯湯タンクを支持するとともに、貯湯タンクの天板に貯湯タンク耐震金具を溶接し、該貯湯タンク耐震金具を家屋等の壁面に固定されている連結部材と連結固定することによって、耐震性を向上させたものである。
【０００３】
また、図７および図８に例示したような狭小スペースへの設置も容易なヒートポンプ給湯器等の貯湯タンク支持構造も知られている。この貯湯タンク支持構造の場合には、貯湯タンク(ア)の奥側に具備されている奥支持脚(イ)の基板部(ウ)の先端に形成されている切欠溝形孔(エ)および貯湯タンク(ア)の手前側に具備されている前支持脚(オ)の基板部(カ)に形成されている挿通孔(キ)に、奥支持脚(イ)は据付基礎(ク)の奥側のアンカーボルト(ケ)を、また前支持脚(オ)は据付基礎(ク)の手前側のアンカーボルト(コ)をそれぞれ挿通させてナット(サ)および角ワッシャー(シ)によりボルト固定して、貯湯タンク(ア)を支持固定することによって、集合住宅等における壁面凹所のような狭小スペースであっても貯湯タンク(ア)を矢印に示したように切欠溝形孔(エ)に沿って、スライドさせて設置位置を調整して設置することができるようにしたものである。
【特許文献１】特開平8-327157号公報
【発明の開示】
【発明が解決しようとする課題】
【０００４】
しかしながら、特許文献１記載の貯湯タンク支持構造の場合には、貯湯タンク耐震金具と連結部材とを連結固定するために、設置スペースに余裕が必要であり、かつ、貯湯タンクをスライドさせて設置位置を調整することができないため、集合住宅等における壁面凹所のような狭小スペースに貯湯タンクを設置することができないという問題があった。
【０００５】
また、図７および図８に例示したような貯湯タンク支持構造の場合には、奥支持脚(イ)に設けられている切欠溝形孔(エ)のような直線状の孔形状では、地震等の揺れや振動によって、奥支持脚(イ)が切欠溝形孔(エ)に沿ってスライドし、切欠溝形孔(エ)からアンカーボルト(ケ)がはずれ、貯湯タンク(ア)が転倒する懸念があるという問題があった。
【０００６】
そこで、この出願の発明は、以上のとおりの事情に鑑みてなされたものであって、従来の問題点を解消し、狭小スペースにおける設置作業性を向上させ、また据付基礎との固定強度も向上させて安定して支持固定することができる、新しい貯湯タンク支持構造を提供することを課題としている。
【課題を解決するための手段】
【０００７】
この出願の発明は、上記の課題を解決するものとして、第１には、貯湯タンクに具備されている支持脚を据付基礎に配設されているアンカーボルトを介して固定することによって貯湯タンクを支持する構造であって、貯湯タンクの奥側に具備されている奥支持脚の基板部に形成されている鍵溝形孔および貯湯タンクの手前側に具備されている前支持脚の基板部に形成されている挿通孔に、奥支持脚は据付基礎の奥側のアンカーボルトを、また前支持脚は据付基礎の手前側のアンカーボルトをそれぞれ挿通させてボルト固定することにより、貯湯タンクを支持固定してなることを特徴とする貯湯タンク支持構造を提供し、第２には、奥支持脚が少なくとも２つ以上具備され、いずれの奥支持脚においてもその鍵溝形孔の方向が同方向に形成されている前記の貯湯タンク支持構造を提供する。
【０００８】
また、この出願の発明は、第３には、貯湯タンクに具備されている支持脚を据付基礎に配設されているアンカーボルトを介して固定することによって貯湯タンクを支持する構造であって、貯湯タンクの奥側に具備されている奥支持脚の基板部の先端に立上り片とともに形成されている切欠溝形孔および貯湯タンクの手前側に具備されている前支持脚の基板部に形成されている挿通孔に、奥支持脚は据付基礎の奥側のアンカーボルトを、また前支持脚は据付基礎の手前側のアンカーボルトをそれぞれ挿通させてボルト固定することにより、貯湯タンクを支持固定してなることを特徴とする貯湯タンク支持構造を提供し、第４には、貯湯タンクに具備されている支持脚を据付基礎に配設されているアンカーボルトを介して固定することによって貯湯タンクを支持する構造であって、貯湯タンクの奥側に具備されている奥支持脚の基板部の先端に先端近傍の突起とともに形成されている切欠溝形孔および貯湯タンクの手前側に具備されている前支持脚の基板部に形成されている挿通孔に、奥支持脚は据付基礎の奥側のアンカーボルトを、また前支持脚は据付基礎の手前側のアンカーボルトをそれぞれ挿通させてボルト固定することにより、貯湯タンクを支持固定してなることを特徴とする貯湯タンク支持構造を提供する。
【０００９】
そして、第５には、貯湯タンクに具備されている支持脚を据付基礎に配設されているスライド基板に固定することによって貯湯タンクを支持する構造であって、支持脚をスライド係止板体にて形成するとともに、スライド基板をスライド係止受板体にて形成し、スライド基板をアンカーボルトを介して据付基礎上に固定するとともに、支持脚を構成するスライド係止板体をスライド基板を構成するスライド係止受板体に係止固定することにより、貯湯タンクを支持固定してなることを特徴とする貯湯タンク支持構造を提供する。
【発明の効果】
【００１０】
上記のとおりのこの出願の第１の発明に係る貯湯タンク支持構造によれば、貯湯タンクをスライドさせて支持固定することができるため、狭小スペースにおける設置作業性を向上させ、また据付基礎との固定強度も向上させて、耐震性を向上させ、安定して支持設置することができる。
【００１１】
また、第２の発明に係る貯湯タンク支持構造によれば、上記第１の発明と同様の効果に加えて、貯湯タンクをより安定して支持固定することができる。
【００１２】
第３および第４の発明に係る貯湯タンク支持構造によれば、貯湯タンクを容易にスライドさせて支持固定することができるため、狭小スペースにおける設置作業性をより向上させ、また据付基礎との固定強度も向上させて、耐震性を向上させ、安定して支持設置することができる。
【００１３】
そして、第５の発明に係る貯湯タンク支持構造によれば、貯湯タンクを容易、かつ、確実にスライドさせて支持固定することができるため、狭小スペースにおける設置作業性をさらに向上させ、また据付基礎との固定強度もさらに向上させて、耐震性を向上させ、より安定して支持設置することができる。
【発明を実施するための最良の形態】
【００１４】
この出願の発明は上記のとおりの特徴をもつものであるが、以下、その実施の形態について詳しく説明する。
【００１５】
図１は、この出願の発明の一実施形態を例示した分解斜視図である。また、図２は、図１の実施形態の全体を模式的に例示した平断面図および要部拡大分解斜視図である。
【００１６】
図１および図２に沿って説明すると、この出願の発明の貯湯タンク支持構造は、貯湯タンク(1)の底部に具備されている支持脚(2)を据付基礎(3)に配設されているアンカーボルト(4)を介して固定することによって、集合住宅等における壁面凹所のような狭小スペース(S)でも作業性よく設置することができる支持構造である。しかも、この支持構造は、安定して貯湯タンク(1)を支持することも実現する。具体的には、貯湯タンク(1)の奥側に具備されている奥支持脚(21)の基板部(211)に形成されている鍵溝形孔(212)に据付基礎(3)の奥側のアンカーボルト(41)を挿通させてスライドさせ、また、貯湯タンク(1)の手前側に具備されている前支持脚(22)の基板部(221)に形成されている丸孔状の挿通孔(222)に据付基礎(3)の手前側のアンカーボルト(42)を挿通させ、それぞれをナット(5)および角ワッシャー(6)によりボルト固定することにより、作業性がよく、しかも安定して貯湯タンク(1)が据付基礎(3)に支持固定されている。特に、多くの集合住宅等においては、貯湯タンクを設置するためのスペースの確保が困難なため、壁面に凹所を設け、壁面凹所よりなる狭小スペース(S)に貯湯タンク(1)を設置することが多いが、この出願の発明の貯湯タンク支持構造を活用することにより、作業性よく貯湯タンクを設置することができる。
【００１７】
奥支持脚(21)の基板部(211)に形成されている鍵溝形孔(212)は、図１および図２に例示したように折り返し溝状に孔を形成し、該鍵溝形孔(212)の開口部から奥部に、奥側のアンカーボルト(41)をスライドさせて挿通してボルト固定することにより、地震等の揺れや振動によって、奥側のアンカーボルト(41)が該鍵溝形孔(212)から外れる可能性を顕著に抑制することができる。また、少なくとも２つ以上の奥支持脚(21)が貯湯タンク(1)に具備されて、これら奥支持脚(21)の基板部(211)における鍵溝形孔(212)の形成方向が、いずれの奥支持脚(21)においても同方向に形成されることにより、複数の奥支持脚(21)が具備されていても、鍵溝形孔(212)に沿って奥支持脚(21)をスムーズにスライドさせることができ、しかも、より安定して支持固定することができる。
【００１８】
さらに、前支持脚(22)の基板部(221)に形成されている挿通孔(222)は、図１および図２に例示したような通常の丸孔状としているため、前支持脚(22)においても安定してアンカーボルト(4)を介して支持固定されている。そのため、以上のような特徴を有する奥支持脚(21)および前支持脚(22)の全てが、アンカーボルト(4)から外れて、貯湯タンク(1)が転倒することは極めて低いと考慮される。なお、この挿通孔(222)は、貯湯タンク(1)設置の際における位置決めの微調整が可能な長孔(図示せず)等としてもよい。
【００１９】
図３は、この出願の発明の別の実施形態を例示した要部分解斜視図であり、図４は、この出願の発明のさらに別の実施形態を例示した要部分解斜視図である。基本的な特徴は、図１および図２に例示したものと略同様であるが、奥支持脚(21)とアンカーボルト(4)との支持固定の構造が異なっている。
【００２０】
すなわち、図３の例では、奥支持脚(21)の基板部(211)の先端には、立上り片(214)とともに切欠溝形孔(213)が形成されている。この奥支持脚(21)の切欠溝形孔(213)に据付基礎(3)の奥側のアンカーボルト(41)を挿通して、ナット(5)および角ワッシャー(6)によりボルト固定することにより、貯湯タンク(1)を支持固定することができる。このような形状を有する奥支持脚(21)の基板部(211)に形成した切欠溝形孔(213)により、スライドが容易となり、しかも奥支持脚(21)の基板部(211)の先端に形成された立上り片(214)に角ワッシャー(6)を当接するように嵌めることにより、立上り片(214)が、ストッパーとしての役割を担って、奥支持脚(21)がアンカーボルト(4)から外れることを抑制することができる。
【００２１】
一方、図４の例では、奥支持脚(21)の基板部(211)の先端には、先端近傍に突設した突起(215)とともに切欠溝形孔(213)が形成されている。そして、図３の例と同様に、この奥支持脚(21)の切欠溝形孔(213)に据付基礎(3)の奥側のアンカーボルト(41)を挿通して、ナット(5)および角ワッシャー(6)によりボルト固定して、貯湯タンク(1)を支持固定している。図４に例示した形状を有する奥支持脚(21)の基板部(211)に形成した切欠溝形孔(213)により、スライドが容易となり、しかも奥支持脚(21)の基板部(211)の先端近傍に突設された突起(215)に角ワッシャー(6)を当接して引っ掛けるようにナット(5)ともに固定することにより、奥支持脚(21)がアンカーボルト(4)から外れることを抑制することができる。
【００２２】
図５は、この出願の発明のさらにまた別の実施形態を例示した分解斜視図であり、図６は、図５の実施形態の全体を模式的に例示した平断面図および要部拡大分解斜視図である。
【００２３】
この出願の発明は、この図５および図６に例示したように、貯湯タンク(1)に具備されている支持脚(2)を据付基礎(3)に配設されているスライド基板(8)に固定することによって貯湯タンク(1)を支持する構造である。この支持脚(2)をスライド係止板体(7)にて形成するとともに、スライド基板(8)をスライド係止受板体(9)にて形成し、スライド基板(8)をアンカーボルト(4)を介して据付基礎(3)上に固定するとともに、支持脚(2)を構成するスライド係止板体(7)をスライド基板(8)を構成するスライド係止受板体(9)に係止固定することにより、貯湯タンク(1)を支持固定してなるものである。
【００２４】
なお、上記支持脚(2)を構成するスライド係止板体(7)は、たとえば、貯湯タンク(1)の底部両側に直立板体(71)を垂下形成し、該直立板体(71)の下端部に内方に向けて折り曲げた係止片(72)を突出形成することによって形成している。
【００２５】
また、スライド基板(8)を構成するスライド係止受板体(9)は、たとえば、略角形の水平板体(91)の上面部両側に、上記スライド係止板体(7)の係止片(72)をスライド係止させる鉤形の係止受片(92)を突出形成することによって形成している。
【００２６】
この支持構造を具体的に説明すると、スライド基板(8)を矢印に示したように移動させて据付基礎(3)上の所定の位置にセットし、スライド基板(8)に設けられたアンカーボルト用貫通孔(93)にアンカーボルト(4)を挿通してボルト固定し、次いで貯湯タンク(1)を矢印に示したように移動させ、支持脚(2)を構成するスライド係止板体(7)の係止片(72)を、スライド基板(8)を構成するスライド係止受板体(9)の係止受片(92)に係止させつつ所定の位置までスライドさせる。そして、係止受片(92)に設けられた貯湯タンク用貫通孔(94)およびスライド係止板体(7)の係止片(72)に設けられた固定孔(73)に角ワッシャー(6)を介してボルト(10)を挿通、締着してボルト固定することにより、貯湯タンク(1)を支持固定する。
【００２７】
上記支持脚(2)を構成するスライド係止板体(7)をスライド基板(8)を構成するスライド係止受板体(9)に係止固定することにより、貯湯タンク(1)を容易、かつ、確実にスライドさせて支持固定することができる。さらに、据付基礎(3)との固定強度もさらに向上させることができ、地震等の揺れや振動に対する耐性（耐震性）を向上させることができる。
【００２８】
この出願の発明の貯湯タンク支持構造は、以上の例示によって限定されるものではない。たとえば、貯湯タンクや支持脚、スライド基板等の各部材の大きさや形状、構造、材質等、その細部の形態において様々に可能であることは言うまでもない。
【産業上の利用可能性】
【００２９】
以上詳しく説明したとおり、この出願の発明によって、狭小スペースにおける設置作業性を向上させ、また据付基礎との固定強度も向上させて安定して支持固定することができる、新しい貯湯タンク支持構造が提供される。
【図面の簡単な説明】
【００３０】
【図１】この出願の発明の一実施形態を例示した分解斜視図である。
【図２】図１の実施形態の全体を模式的に例示した平断面図および要部拡大分解斜視図である。
【図３】この出願の発明の別の実施形態を例示した要部分解斜視図である。
【図４】この出願の発明のさらに別の実施形態を例示した要部分解斜視図である。
【図５】この出願の発明のさらにまた別の実施形態を例示した分解斜視図である。
【図６】図５の実施形態の全体を模式的に例示した平断面図および要部拡大分解斜視図である。
【図７】従来の貯湯タンク支持構造を例示した分解斜視図である。
【図８】図７の支持構造を例示した平断面図および要部拡大分解斜視図である。
【符号の説明】
【００３１】
1  貯湯タンク
2  支持脚
21  奥支持脚
211  基板部
212  鍵溝形孔
213  切欠溝形孔
214  立上り片
215  突起
22  前支持脚
221  基板部
222  挿通孔
3  据付基礎
4  アンカーボルト
41  奥側のアンカーボルト
42  手前側のアンカーボルト
5  ナット
6  角ワッシャー
7  スライド係止板体
71  直立板体
72  係止片
73  固定孔
8  スライド基板
9  スライド係止受板体
91  水平板体
92  係止受片
93  アンカーボルト用貫通孔
94  貯湯タンク用貫通孔
10  ボルト
S  狭小スペース
ア  貯湯タンク
イ  奥支持脚
ウ  基板部
エ  切欠溝形孔
オ  前支持脚
カ  基板部
キ  挿通孔
ク  据付基礎
ケ、コ  アンカーボルト
サ  ナット
シ  角ワッシャー
【図１】
2005127670.tif 000003
【図２】
2005127670.tif 000004
【図３】
2005127670.tif 000005
【図４】
2005127670.tif 000006
【図５】
2005127670.tif 000007
【図６】
2005127670.tif 000008
【図７】
2005127670.tif 000009
【図８】
2005127670.tif 000010